(57)【要約】【課題】画像の焦点調整状態を判定すること。【解決手段】画像処理回路１０４は、デジタル画像データに基づいて本画像データを生成し、デジタル画像データに対して本画像データに施されている処理よりも強い輪郭強調処理、または本画像データに施されている処理よりも強いコントラスト強調処理の少なくともいずれか一方を施して本画像データよりも画像サイズを小さくした処理後画像データを、本画像データの焦点調節状態を確認するための確認用画像データとして生成する。ＣＰＵ１１１は、本画像データと確認用画像データとを含んだ画像ファイルを生成し、生成した画像ファイルをメモリカード１１３ａに記録する。【選択図】図１
2010016671.tif 000002
【特許請求の範囲】
【請求項１】
被写体像を撮像して画像データを取得する撮像手段と、
前記撮像手段によって取得された元画像データに基づいて、本画像データを生成する本画像データ生成手段と、
前記元画像データに対して前記本画像データに施されている処理よりも強い輪郭強調処理、または前記本画像データに施されている処理よりも強いコントラスト強調処理の少なくともいずれか一方を施し、前記本画像データよりも画像サイズを小さくした処理後画像データを、前記本画像データの焦点調節状態を確認するための確認画像データとして生成する確認画像データ生成手段と、
前記本画像データ生成手段により生成された前記本画像データと、前記確認画像データ生成手段により生成された前記確認画像データとを記憶媒体に記録する記録制御手段とを備えることを特徴とするカメラ。
【請求項２】
請求項１に記載のカメラにおいて、
前記確認画像データ生成手段は、前記元画像データ内から撮像時に焦点検出エリアとして設定されていた領域を含む領域を抽出領域として抽出し、前記抽出領域内の画像データに基づいて前記確認画像データを生成することを特徴とするカメラ。
【請求項３】
請求項１に記載のカメラにおいて、
使用者による指示に基づいて、前記抽出範囲内の画像データに対する拡大率を設定する拡大率設定手段をさらに備え、
前記確認画像データ生成手段は、前記拡大率設定手段で設定した拡大率に基づいて、前記確認画像データを生成することを特徴とするカメラ。
【請求項４】
請求項１に記載のカメラにおいて、
前記確認画像データ生成手段は、前記確認画像データによって表される画像の明るさが、前記本画像データによって表される画像の明るさよりも明るくなるように前記元画像データに対して画像処理を行って、前記確認画像データを生成することを特徴とするカメラ。
【請求項５】
請求項１に記載のカメラにおいて、
前記確認画像データ生成手段は、前記処理後画像データから輝度成分のみを抽出して得た画像データを前記確認画像データとすることを特徴とするカメラ。
【請求項６】
請求項１に記載のカメラにおいて、
前記確認用画像データによって表される画像を表示装置に表示する表示制御手段をさらに備えることを特徴とするカメラ。
【請求項７】
焦点検出エリアに関する情報が格納されている画像ファイルを記憶媒体から読み出す読み出し手段と、
前記読み出し手段により読み出した前記画像ファイルから前記焦点検出エリアに関する情報を取得する情報取得手段と、
前記情報取得手段により取得した前記焦点検出エリアに関する情報に基づいて、前記画像ファイル内の本画像データ内から撮像時に焦点検出エリアとして設定されていた領域を含む領域を抽出領域として抽出する領域抽出手段と、
前記領域抽出手段で抽出した前記抽出領域内の画像データに対して、前記本画像データに施されている処理よりも強い輪郭強調処理、または前記本画像データに施されている処理よりも強いコントラスト強調処理の少なくともいずれか一方を施し、前記本画像データよりも画像サイズを小さくした処理後画像データを、前記本画像データの焦点調節状態を確認するための確認画像データとして生成する確認画像データ生成手段と、
前記本画像データと前記確認画像データとを記憶媒体に記録する記録制御手段とを備えることを特徴とする情報処理装置。
【発明の詳細な説明】
【技術分野】
【０００１】
本発明は、カメラ、および情報処理装置に関する。
【背景技術】
【０００２】
次のような電子カメラが知られている。この電子カメラは、画像内のフォーカスエリアに対応する切り出し画像を圧縮して記録しておき、使用者は、この切り出し画像を見ることによって、画像の焦点検出状態を判定する（例えば、特許文献１）。
【０００３】
【特許文献１】特開２００２−１５２５８２号公報
【発明の開示】
【発明が解決しようとする課題】
【０００４】
しかしながら、従来の電子カメラでは、使用者は、フォーカスエリアに対応する切り出し画像を見ただけでは画像の焦点検出状態を判定することができない可能性があった。この場合には、使用者は、切り出し画像に対して、焦点検出状態を判定しやすくするような画像処理を施す必要があった。
【課題を解決するための手段】
【０００５】
本発明によるカメラは、被写体像を撮像して画像データを取得する撮像手段と、撮像手段によって取得された元画像データに基づいて、本画像データを生成する本画像データ生成手段と、元画像データに対して本画像データに施されている処理よりも強い輪郭強調処理、または本画像データに施されている処理よりも強いコントラスト強調処理の少なくともいずれか一方を施し、本画像データよりも画像サイズを小さくした処理後画像データを、本画像データの焦点調節状態を確認するための確認画像データとして生成する確認画像データ生成手段と、本画像データ生成手段により生成された本画像データと、確認画像データ生成手段により生成された確認画像データとを記憶媒体に記録する記録制御手段とを備えることを特徴とする。
本発明によれば、確認画像データ生成手段は、元画像データ内から撮像時に焦点検出エリアとして設定されていた領域を含む領域を抽出領域として抽出し、抽出領域内の画像データに基づいて確認画像データを生成するようにしてもよい。
カメラは、使用者による指示に基づいて、抽出範囲内の画像データに対する拡大率を設定する拡大率設定手段をさらに備え、確認画像データ生成手段は、拡大率設定手段で設定した拡大率に基づいて、確認画像データを生成するようにしてもよい。
確認画像データ生成手段は、確認画像データによって表される画像の明るさが、本画像データによって表される画像の明るさよりも明るくなるように元画像データに対して画像処理を行って、確認画像データを生成するようにしてもよい。
確認画像データ生成手段は、処理後画像データから輝度成分のみを抽出して得た画像データを確認画像データとしてもよい。
カメラは、確認用画像データによって表される画像を表示装置に表示する表示制御手段をさらに備えるようにしてもよい。
本発明による情報処理装置は、焦点検出エリアに関する情報が格納されている画像ファイルを記憶媒体から読み出す読み出し手段と、読み出し手段により読み出した画像ファイルから焦点検出エリアに関する情報を取得する情報取得手段と、情報取得手段により取得した焦点検出エリアに関する情報に基づいて、画像ファイル内の本画像データ内から撮像時に焦点検出エリアとして設定されていた領域を含む領域を抽出領域として抽出する領域抽出手段と、領域抽出手段で抽出した抽出領域内の画像データに対して、本画像データに施されている処理よりも強い輪郭強調処理、または本画像データに施されている処理よりも強いコントラスト強調処理の少なくともいずれか一方を施し、本画像データよりも画像サイズを小さくした処理後画像データを、本画像データの焦点調節状態を確認するための確認画像データとして生成する確認画像データ生成手段と、本画像データと確認画像データとを記憶媒体に記録する記録制御手段とを備えることを特徴とする。
【発明の効果】
【０００６】
本発明によれば、画像の焦点検出状態が判定しやすい確認用画像を生成して記録することができる。
【発明を実施するための最良の形態】
【０００７】
図１は、本実施の形態におけるカメラ１００の一実施の形態の構成を示すブロック図である。カメラ１００は、レンズ１０１と、撮像素子１０２と、ＡＦＥ（Ａｎａｌｏｇ  Ｆｒｏｎｔ  Ｅｎｄ）回路１０３と、画像処理回路１０４と、ファインダ用表示装置１０５と、モニタ１０６と、ＡＦ（Ａｕｔｏ  Ｆｏｃｕｓ／自動焦点調整）センサ１０７と、ＡＦ制御用ＣＰＵ１０８と、ＳＤＲＡＭ１０９と、フラッシュメモリ１１０と、ＣＰＵ１１１と、操作部材１１２と、メモリカードＩ／Ｆ１１３とを備えている。
【０００８】
ＣＰＵ１１１は、フラッシュメモリ１１０に記録されている制御プログラムをＳＤＲＡＭ１０９に読み込んで実行することにより、カメラ１００の全体を制御する。なお、ＳＤＲＡＭ１０９は、揮発性のメモリであって、ＣＰＵ１１１がプログラム実行時にプログラムを展開するためのワークメモリとして使用されたり、データを一時的に記録するためのバッファメモリとして使用される。また、フラッシュメモリ１１０は、不揮発性のメモリであって、ＣＰＵ１１１が実行するプログラムのデータや、プログラム実行時に読み込まれる種々のパラメータなどが記録されている。
【０００９】
このＣＰＵ１１１は、使用者による操作部材１１２に含まれる各種ボタンの操作を受け付けて、その操作内容に応じた処理を実行する。なお、操作部材１１２は、使用者によって操作される種々のボタンやスイッチ、例えば電源ボタン、レリーズボタン、ズームボタン、十字ボタン、決定ボタン等を含んでいる。ＣＰＵ１１１は、使用者によって操作部材１１２が操作されてカメラ１００のモードが撮影モードに設定されると、各部を制御して以下に説明する撮影処理を開始する。
【００１０】
レンズ１０１は、複数の光学レンズにより構成され、これらのレンズを介して被写体像を撮像素子１０２へ結像する。撮像素子１０２は、例えばＣＣＤやＣＭＯＳなどのイメージセンサであり、被写体像を光電変換してアナログ画像信号を生成し、生成したアナログ画像信号をＡＦＥ回路１０３へ出力する。
【００１１】
本実施の形態のカメラ１００では、レンズ１０１にはＡＦ用のＡＦレンズが含まれており、このＡＦレンズの駆動はＡＦ制御用ＣＰＵ１０８によって制御される。ＡＦ制御用ＣＰＵ１０８は、ＡＦセンサ１０７からの出力に基づいて、撮影時のＡＦレンズのレンズ位置を決定する。例えば、ＡＦ制御用ＣＰＵ１０８は、撮影面上に複数の焦点検出用エリア（ＡＦエリア）を設定し、ＡＦセンサ１０７からの出力に基づいて、いずれかのＡＦエリア内の被写体に合焦するように焦点調整を行う。そして、ＡＦ制御用ＣＰＵ１０８は、いずれかのＡＦエリア内の被写体に合焦したときのＡＦレンズのレンズ位置を撮影時のＡＦレンズのレンズ位置として決定する。
【００１２】
なお、本実施の形態では、ＡＦ制御用ＣＰＵ１０８は、どのＡＦエリアを対象として焦点調整を行ったかに関する情報、すなわちＡＦ情報をＳＤＲＡＭ１０９に出力して記録しておく。ＣＰＵ１１１は、使用者による撮影指示に基づいて撮影を行って画像ファイルを生成した場合には、ＳＤＲＡＭ１０９からＡＦ情報を読み出して、画像ファイルのヘッダー部に記録する。本実施の形態におけるカメラ１００で生成される画像ファイルの構造、および画像ファイル内に格納されるデータの内容については後述する。
【００１３】
ＡＦＥ回路１０３は、アナログ画像信号に対するゲイン調整、例えば、設定されたＩＳＯ感度に応じた信号増幅などを行う。ＡＦＥ回路１０３は、さらに内蔵するＡ／Ｄ変換回路によってアナログ画像信号をデジタル画像データに変換し、デジタル画像データを画像処理回路１０４へ出力する。
【００１４】
画像処理回路１０４は、デジタル画像データに対して各種の画像処理、例えば、色補間処理、階調変換処理、輪郭強調処理、ホワイトバランス調整処理などを施した後、画像処理後の画像データ（以下、「本画像データ」と呼ぶ）をバッファメモリとしてのＳＤＲＡＭ１０９へ出力する。また、画像処理回路１０４は、画像処理を行なって得た本画像データに基づいて表示用画像データを生成してＳＤＲＡＭ１０９へ出力する。例えば、画像処理回路１０４は、画像データを縮小してサムネイル画像データを表示用画像データとして生成してＳＤＲＡＭ１０９へ出力する。
【００１５】
ファインダ用表示装置１０５は、カメラ１００が搭載するファインダ内に情報を表示するための表示装置である。上述したＡＦ制御用ＣＰＵ１０８は、撮影面上に設定した複数のＡＦエリアを示す枠をこのファインダ用表示装置１０５に表示する。これによって、使用者はファインダ内でＡＦエリアを確認しながら撮影を行うことができる。また、ＣＰＵ１１１は、現在設定されている撮影条件に関する情報など種々の情報をファインダ用表示装置１０５に表示する。
【００１６】
モニタ１０６は、カメラ１００の背面に搭載された液晶モニタ（背面モニタ）である。ＣＰＵ１１１は、画像処理回路１０４によって時系列で生成されてＳＤＲＡＭ１０９に記録される表示用画像データをモニタ１０６に連続して出力することによって、モニタ１０６上にスルー画を表示する。また、ＣＰＵ１１１は、使用者によってカメラ１００のモードが再生モードに切り替えられた場合には、過去の撮影で取得され、後述するメモリカード１１３ａに記録されている画像ファイルから表示用画像データを読み出してモニタ１０６に出力することにより、画像の再生を行なう。また、ＣＰＵ１１１は、メニュー画面や確認メッセージなどの種々の情報をモニタ１０６に出力して表示する。
【００１７】
メモリカードＩ／Ｆ１１３は、例えば、外部メモリとしてのメモリカード１１３ａを挿入するためのスロット部を備えており、ＣＰＵ１１１からの指示に基づいて、メモリカード１１３ａに画像ファイルの書き込みを行なったり、メモリカード１１３ａから画像ファイルの読み出しを行なったりする。
【００１８】
ＣＰＵ１１１は、上述したようにカメラ１００のモードが撮影モードに設定されているときには、使用者によって操作部材１１２に含まれるレリーズボタンが操作されることにより撮影が指示されると、画像処理回路１０４によって生成されてＳＤＲＡＭ１０９に記録された本画像データを格納した画像ファイルを生成する。そして、ＣＰＵ１１１は、生成した画像ファイルを内蔵メモリとしてのフラッシュメモリ１１０、またはメモリカードＩ／Ｆ１１３に導入されているメモリカード１１３ａに記録する。
【００１９】
なお、本実施の形態でＣＰＵ１１１によって生成される画像ファイルは、図２に示すように、ヘッダー部２ａとデータ部２ｂとからなり、データ部２ｂには、複数の個別画像、すなわちヘッダー情報と画像データの組を記録することができる。ヘッダー部２ａには、画像の撮影日時、上述したＡＦ情報、および画像処理回路１０４によって生成されてＳＤＲＡＭ１０９に記録された表示用画像データ等の種々の情報が格納される。また、本実施の形態では、データ部２ｂには、本画像データに関するヘッダー情報２ｃと本画像データ２ｄとを１組とする個別画像２ｅと、使用者が本画像データの合焦状態を確認するための確認用画像に関するヘッダー情報２ｆと確認用画像データ２ｇとを１組とする個別画像２ｈとが記録される。
【００２０】
ここで、確認用画像の詳細について説明する。本実施の形態では、画像処理回路１０４は、撮影処理が行われた場合に、ＡＦＥ回路１０３から入力されたデジタル画像データに基づいて確認用画像データを生成する。この確認用画像データは、使用者が本画像データの合焦状態を確認するために用いるものであるため、画像処理回路１０４は、使用者が本画像データの合焦状態を確認しやすいような画像を生成する必要がある。このため、画像処理回路１０４は、以下のような処理を実行して確認用画像データを生成する。
【００２１】
まず、画像処理回路１０４は、ＡＦ制御用ＣＰＵ１０８によって記録されたＡＦ情報をＳＤＲＡＭ１０９から読み出して、撮影時にＡＦ処理の対象となったＡＦエリアを特定する。そして、画像処理回路１０４は、ＡＦＥ回路１０３から入力されたデジタル画像データから上記特定したＡＦエリアを含む所定範囲の画像データを抽出する。本実施の形態では、ここで抽出された画像データを抽出画像データと呼ぶ。また、本画像データ内における、抽出画像データの抽出範囲に相当する範囲内の画像データを抽出対応画像データと呼ぶ。
【００２２】
なお、画像処理回路１０４は、デジタル画像データから抽出画像データとして抽出する範囲の大きさを使用者による指示に基づいて決定する。本実施の形態では、使用者は、例えば操作部材１１２を操作することによって、メニュー上で「抽出画像の倍率と出力サイズ」を設定するための設定画面を呼び出す。ＣＰＵ１１１は、使用者による上記操作を受け付けた場合には、モニタ１０６上に図３に示す「抽出画像の倍率と出力サイズ」の設定画面を表示する。
【００２３】
使用者は、この図３に示す設定画面上で、抽出画像の倍率と出力サイズとの組み合わせを「等倍・ＶＧＡ」、「等倍・ＱＶＧＡ」、「２倍、ＶＧＡ」、および「２倍・ＱＶＧＡ」の４通りの中から選択する。画像処理回路１０４は、この設定画面上での使用者による選択結果に基づいて、デジタル画像データ内からＡＦエリアを含んだ抽出画像データの抽出範囲の大きさを決定する。
【００２４】
画像処理回路１０４は、例えば、設定画面上で使用者によって「等倍・ＶＧＡ」が選択された場合には、デジタル画像データ内からＡＦエリアを含んだＶＧＡサイズの画像データを抽出し、これを抽出画像データとする。また、画像処理回路１０４は、設定画面上で使用者によって「等倍・ＱＶＧＡ」が選択された場合には、デジタル画像データ内からＡＦエリアを含んだＱＶＧＡサイズの画像データを抽出し、これを抽出画像データとする。
【００２５】
また、画像処理回路１０４は、設定画面上で使用者によって「２倍・ＶＧＡ」が選択された場合には、デジタル画像データ内からＡＦエリアを含んだＶＧＡサイズの１／４の大きさの画像データを抽出する。そして、画像処理回路１０４は、抽出した画像データを縦および横にそれぞれ２倍するための補間処理を行ってＶＧＡサイズの画像データを生成し、これを抽出画像データとする。
【００２６】
また、画像処理回路１０４は、設定画面上で使用者によって「２倍・ＱＶＧＡ」が選択された場合には、デジタル画像データ内からＡＦエリアを含んだＱＶＧＡサイズの１／４の大きさの画像データを抽出する。そして、画像処理回路１０４は、抽出した画像データを縦および横にそれぞれ２倍するための補間処理を行ってＱＶＧＡサイズの画像データを生成し、これを抽出画像データとする。
【００２７】
画像処理回路１０４は、この抽出画像データに対して、使用者が画像を見たときに画像の合焦状態を確認しやすい画像にするための画像処理を施すことによって、確認用画像データを生成する。すなわち、画像処理回路１０４は、抽出画像データに対して、本画像データを生成する際に施した画像処理とは異なる画像処理を施すことによって、確認用画像データを生成する。使用者が画像を見たときに画像の合焦状態を確認しやすい画像にするために、本画像データとは異なる画像処理を施すことが効果的な画像処理としては、例えば以下の（Ａ）または（Ｂ）の処理が挙げられる。
【００２８】
なお、画像処理回路１０４は、以下に説明する（Ａ）および（Ｂ）の両方の処理を行って確認用画像データを生成するようにしてもよく、（Ａ）および（Ｂ）の処理のいずれか一方のみを行って確認用画像データを生成するようにしてもよい。確認用画像データを生成するために（Ａ）と（Ｂ）の両方の処理を行うか、（Ａ）の処理のみを行うか、あるいは（Ｂ）の処理のみを行うかについては、あらかじめ設定されていてもよいし、使用者が任意に設定できるようにしてもよい。なお、本実施の形態では、（Ａ）および（Ｂ）の両方の処理を行って確認用画像データを生成する例について説明する。
【００２９】
（Ａ）コントラスト強調処理
画像処理回路１０４は、デジタル画像データに対して、本画像データに施したコントラスト強調処理よりも強いコントラスト強調処理を施して確認用画像データを生成することによって、使用者が本画像データの合焦状態を確認しやすい確認用画像データを生成する。まず、図４を用いて本画像データに施したコントラスト強調処理よりも強いコントラスト強調処理を施すことによって、使用者が合焦状態を確認しやすい確認用画像データを生成することができる理由について説明する。
【００３０】
図４（ａ）は、ある強さのコントラスト強調処理が施されて生成された本画像データにおいて、ＡＦエリア内にピントが合っている場合のコントラストの変化状態を模式的に表した図である。一方、図４（ｂ）は、ＡＦエリア内にピントが合ってない場合のコントラストの変化状態を模式的に表した図である。図４（ａ）と図４（ｂ）とを比較すると、コントラストの変化点４ａでのコントラストの変化状態が違うことから、使用者は、画像上でこの変化状態を目視により捉えることによって、本画像の合焦状態を判定することができる。
【００３１】
本実施の形態では、確認用画像データを本画像データよりもさらに強いコントラスト強調処理を施して生成することにより、図４（ａ）に示したピントが合っている場合のコントラストの変化状態を図４（ｃ）に示すように強調することができ、図４（ｂ）に示したピントが合っていない場合のコントラストの変化状態を図４（ｄ）に示すように強調することができる。これによって、コントラストの変化点４ａでのコントラストの変化を大きくすることができるため、使用者は、確認用画像を見ることによって、本画像を見た場合よりも、より容易に合焦状態を判定することができるようになる。
【００３２】
具体的には、ＣＰＵ１１１は、確認用画像データを生成するためにデジタル画像データに対して施すコントラスト強調処理の強度を次のようにして決定する。そして、画像処理回路１０４は、ＣＰＵ１１１によって決定された強度でデジタル画像データに対してコントラスト強調処理を施して、確認用画像データを生成する。
【００３３】
まず、ＣＰＵ１１１は、本画像データ内の抽出対応画像データを対象として、図５（ａ）に示すようなヒストグラムを作成する。このヒストグラムにおいては、横軸は輝度値（０から２５５）を表し、縦軸は出現回数を表している。そして、このヒストグラムの幅、すなわち輝度値の出現範囲の広さが抽出対応画像データのコントラストの高さを表している。具体的には、ヒストグラムの幅が狭いほど抽出対応画像データのコントラストは低く、ヒストグラムの幅が広いほど抽出対応画像データのコントラストは高いことを表している。
【００３４】
よって、画像処理回路１０４は、図５（ａ）に示したヒストグラムの幅を広げるようにコントラスト強調処理を行うことによって、本画像データよりも強いコントラスト強調処理を施した確認用画像データを生成することができる。例えば、ＣＰＵ１１１は、図５（ａ）に示したヒストグラムでは、輝度分布が２０から１２０の範囲内であることから、これを０から２５５までに広げるような変換特性を設定する。そして、画像処理回路１０４は、抽出画像データに対して、さらにこの変換特性を用いてコントラスト強調処理を施すことにより、本画像データよりも強いコントラスト強調処理を施した確認用画像データを生成する。
【００３５】
このために、ＣＰＵ１１１は、まず図５（ａ）に示したヒストグラムを左方向に拡張して、図５（ｂ）に示すように輝度分布０から１２０の範囲になるように変換する。そして、ＣＰＵ１１１は、図５（ｃ）に示すように、輝度値が２０から１２０の範囲を２０から２５５の範囲に拡張するための変換特性を設定する。そして、画像処理回路１０４は、抽出画像データに対して、図５（ｃ）に示す変換特性を用いてコントラスト強調処理を施すことにより、図５（ｄ）に示すヒストグラムで表される確認用画像データを生成することができる。
【００３６】
（Ｂ）輪郭強調処理
画像処理回路１０４は、デジタル画像データに対して、本画像データに施した輪郭強調処理よりも強い輪郭強調処理を施して確認用画像データを生成することによって、使用者が本画像データの合焦状態を確認しやすい確認用画像データを生成する。
【００３７】
具体的には、本画像データのＡＦエリア内にピントが合っていない場合と、本画像データのＡＦエリア内にピントが合っている場合とを比較すると、上述した抽出対応画像データから輪郭成分を抽出した場合には、ＡＦエリア内にピントが合っている場合の方が大きな輪郭成分を抽出することができる。本実施の形態では、デジタル画像データに対して、本画像データに施した輪郭強調処理よりも強い輪郭強調処理を施すことによって、このピントが合っている場合と合っていない場合との抽出される輪郭成分の差をさらに拡大させた確認用画像データを生成する。
【００３８】
これによって、確認用画像データでは、本画像データよりも輪郭が強調されていることから、使用者は、本画像データの画像を閲覧するよりも、確認用画像データの画像を閲覧した場合の方が、ＡＦエリア内にピントが合っているか否かを確認しやすくなる。
【００３９】
具体的には、ＣＰＵ１１１は、確認用画像データを生成するためにデジタル画像データに対して施す輪郭強調処理の強度を次のようにして決定する。そして、画像処理回路１０４は、ＣＰＵ１１１によって決定された強度でデジタル画像データに対して輪郭強調処理を施して、確認用画像データを生成する。
【００４０】
まず、ＣＰＵ１１１は、デジタル画像データから抽出した抽出画像データから輪郭成分を抽出する。そして、ＣＰＵ１１１は、抽出した輪郭成分に対して、本画像データを生成するときに用いた係数よりも大きい係数、例えば２倍の係数をかけて輪郭成分を算出する。そして、画像処理回路１０４は、ＣＰＵ１１１によって算出された輪郭成分を抽出画像データの各画素値に加算する。
【００４１】
例えば、抽出画像データから抽出した輪郭成分をαとした場合、本画像データを生成するときには、画像処理回路１０４は、次式（１）に示すように輪郭成分αに係数ａをかけたものをデジタル画像データの各画素の画素値に加算する。一方、確認用画像データを生成する場合には、画像処理回路１０４は、次式（２）に示すように輪郭成分αに係数２・ａをかけたものを抽出画像データの各画素の画素値に加算する。
本画像データの輪郭強調処理＝デジタル画像データの各画素の画素値＋ａ×α  ・・・（１）
確認用画像データの輪郭強調処理＝抽出画像データの各画素の画素値＋２・ａ×α  ・・・（２）
【００４２】
なお、本画像データを生成する際の輪郭強調処理において、係数ａは本画像データの各画素の輝度値によって異なる値が設定されることも考えられる。例えば、０から２５５の輝度値のそれぞれに対応した係数ａ０からａ２５５があらかじめ設定されており、画像処理回路１０４は、式（１）を用いて輪郭強調処理を施す際に、係数ａに代えてデジタル画像データの各画素の輝度値に応じたａ０からａ２５５のいずれかの係数を輪郭成分αにかけるようにしてもよい。この場合、式（２）においては、抽出画像データの各画素の輝度値に応じたａ０からａ２５５のいずれかの係数を２倍して輪郭成分αにかけてもよいし、あるいは、ａ０からａ２５５の最大値を一律輪郭成分αにかけるようにしてもよい。
【００４３】
画像処理回路１０４は、（Ａ）および（Ｂ）で上述した処理の少なくともいずれか一方を実行することによって生成した確認用画像データをＳＤＲＡＭ１０９に記録する。そして、ＣＰＵ１１１は、ＳＤＲＡＭ１０９に記録されている本画像データ、表示用画像データ、および確認用画像データを格納した、図２に示した構造の画像ファイルを生成する。そして、ＣＰＵ１１１は、生成した画像ファイルをメモリカードＩ／Ｆ１１３を介してメモリカード１１３ａに記録する。
【００４４】
なお、ＣＰＵ１１１は、上述したようにＳＤＲＡＭ１０９に記録されているＡＦ情報を読み込んでヘッダー部２ａに記録する。また、ＣＰＵ１１１は、ヘッダー部２ａには、ＡＦ情報の他に、確認用画像データに対して施した画像処理の程度を示す情報を記録する。例えば、画像処理回路１０４がデジタル画像データに対して本画像データよりも強い強度のコントラスト強調処理を施して確認用画像データを生成した場合には、そのときのコントラスト強調処理の強さを示す情報、例えば図５（ｃ）に示した変換特性を示す情報をヘッダー部２ａに記録する。また、画像処理回路１０４がデジタル画像データに対して本画像データよりも強い強度の輪郭強調処理を施して確認用画像データを生成した場合には、そのときの輪郭強調処理の強さを示す情報、例えば式（２）で用いた係数２・ａの値をヘッダー部２ａに記録する。
【００４５】
ＣＰＵ１１１は、使用者によって操作部材１１２が操作されてカメラ１００のモードが再生モードに切り替えられた場合には、上述したように画像ファイルから表示用画像データを読み出してモニタ１０６に出力することにより、モニタ１０６に表示用画像を表示して画像の再生を行なう。例えば、ＣＰＵ１１１は、前回の再生モードの終了時にモニタ１０６に出力していた表示用画像をモニタ１０６に表示する。使用者は、表示用画像がモニタ１０６に表示されている状態で、操作部材１１２を操作することにより、その表示用画像に対応する確認用画像の表示を指示することができる。
【００４６】
ＣＰＵ１１１は、使用者からの確認用画像の表示指示があった場合には、モニタ１０６に表示中の表示用画像に対応する画像ファイルから確認用画像データを読み出してモニタ１０６に出力することによって、モニタ１０６上に確認用画像を表示する。そして、使用者は、モニタ１０６に表示された確認用画像を閲覧することによって、対応する本画像データのＡＦエリア内にピントが合っているかを確認することができる。
【００４７】
図６は、本実施の形態におけるカメラ１００の画像取得処理を示すフローチャートである。図６に示す処理は、使用者によってカメラ１００のモードが撮影モードに設定された状態で、操作部材１１２に含まれるレリーズボタンが半押しされると起動するプログラムとして実行される。
【００４８】
ステップＳ１０において、ＡＦ制御用ＣＰＵ１０８は、ＡＦセンサ１０７からの出力に基づいて、撮影面上に設定した複数のＡＦエリアの中から被写体が存在するＡＦエリアを認識して、ステップＳ２０へ進む。ステップＳ２０では、ＡＦ制御用ＣＰＵ１０８は、ＡＦ（Ａｕｔｏ  Ｆｏｃｕｓ／自動焦点調整）処理を実行して、ステップＳ１０で認識したＡＦエリア内に存在する被写体に合焦するようにＡＦレンズ位置を決定する。また、ＣＰＵ１１１は、ＡＥ（Ａｕｔｏｍａｔｉｃ Ｅｘｐｏｓｕｒｅ／自動露出調整）処理を実行して露出調整を行う。ＡＦ制御用ＣＰＵ１０８は、このとき、上述したように、ＡＦ情報をＳＤＲＡＭ１０９に記録する。その後、ステップＳ３０へ進む。
【００４９】
ステップＳ３０では、ＣＰＵ１１１は、使用者によって操作部材１１２に含まれるレリーズボタンが全押しされたか否かを判断する。ステップＳ３０で否定判断した場合には、ステップＳ４０へ進み、ＣＰＵ１１１は、使用者によるレリーズボタンの半押しが解除されたか否かを判断する。ステップＳ４０で肯定判断した場合には、処理を終了する。これに対して、ステップＳ４０で否定判断した場合には、ステップＳ３０へ戻る。一方、ステップＳ３０で肯定判断した場合には、ステップＳ５０へ進む。
【００５０】
ステップＳ５０では、ＣＰＵ１１１は、上述したように撮影処理を実行する。これによって、撮像素子１０２で得られたアナログ画像信号は、ＡＦＥ回路１０３でデジタル画像信号に変換され、画像処理回路１０４に出力される。その後、ステップＳ６０へ進み、画像処理回路１０４は、入力されたデジタル画像データに対して、コントラスト強調処理や輪郭強調処理などの種々の画像処理を施すことによって、上述した本画像データを生成し、ＳＤＲＡＭ１０９に記録する。このとき、画像処理回路１０４は、生成した本画像データに基づいて、上述した表示用画像データも生成して、ＳＤＲＡＭ１０９に記録する。その後、ステップＳ７０へ進む。
【００５１】
ステップＳ７０では、画像処理回路１０４は、ＳＤＲＡＭ１０９に記録されているＡＦ情報、および図３に示した設定画面上での使用者による抽出画像の倍率と出力サイズの選択内容に基づいて、デジタル画像データ内から抽出画像データを抽出する範囲を決定する。そして、決定した範囲の画像データを抽出する。その後、ステップＳ８０へ進み、画像処理回路１０４は、抽出画像データを生成するために画像データを拡大する必要があるか、例えば、抽出画像の倍率が２倍に設定されているか否かを判断する。
【００５２】
ステップＳ８０で否定判断した場合には、画像処理回路１０４は、ステップＳ７０でデジタル画像データから抽出した画像データをそのまま抽出画像データとして、ステップＳ１００へ進む。これに対して、ステップＳ８０で肯定判断した場合には、ステップＳ９０へ進み。画像処理回路１０４は、ステップＳ７０でデジタル画像データから抽出した画像データを補間して、出力サイズとして設定されているサイズの画像データを生成し、これを抽出画像データとして、ステップＳ１００へ進む。
【００５３】
ステップＳ１００では、画像処理回路１０４は、上述したように、抽出画像データに対して、本画像データを生成するために施したコントラスト強調処理よりも強いコントラスト強調処理を施して、ステップＳ１１０へ進む。ステップＳ１１０では、画像処理回路１０４は、上述したように、抽出画像データに対して、本画像データを生成するために施した輪郭強調処理よりも強い輪郭強調処理を施して、ステップＳ１２０へ進む。
【００５４】
ステップＳ１２０では、ＣＰＵ１１１は、図２に示した構造の画像ファイルを生成する。具体的には、ＣＰＵ１１１は、画像ファイルのヘッダー部２ａにＡＦ情報、確認用画像データ生成時のコントラスト強調処理の強さを示す情報、および確認用画像データ生成時の輪郭強調処理の強さを示す情報を記録する。また、ＣＰＵ１１１は、本画像データ２ｄとして、画像処理回路１０４によって生成され、ＳＤＲＡＭ１０９に記録されている本画像データを記録する。また、ＣＰＵ１１１は、確認用画像データ２ｇとして、画像処理回路１０４によって生成され、ＳＤＲＡＭ１０９に記録されている確認用画像データを記録する。
【００５５】
その後、ステップＳ１３０へ進み、ＣＰＵ１１１は、ステップＳ１２０で生成した画像ファイルをメモリカードＩ／Ｆ１１３を介して、メモリカード１１３ａに記録して、処理を終了する。
【００５６】
図７は、本実施の形態におけるカメラ１００の画像再生処理を示すフローチャートである。図７に示す処理は、使用者によってカメラ１００のモードが再生モードに設定されると起動するプログラムとして実行される。
【００５７】
ステップＳ２１０において、ＣＰＵ１１１は、前回の画像再生時に最後に再生した画像を再生対象の画像として選択する。その後、ステップＳ２２０へ進み、ＣＰＵ１１１は、メモリカード１１３ａからステップＳ２１０で選択した画像の画像ファイルをＳＤＲＡＭ１０９に読み出し、当該画像ファイル内から表示用画像データを読み出してモニタ１０６に出力することにより、画像の再生を開始する。
【００５８】
その後、ステップＳ２３０へ進み、ＣＰＵ１１１は、使用者によって操作部材１１２が操作されることにより、再生モードの終了が指示されたか否かを判断する。ステップＳ２３０で肯定判断した場合には、処理を終了する。これに対して、ステップＳ２３０で否定判断した場合には、ステップＳ２４０へ進む。
【００５９】
ステップＳ２４０では、ＣＰＵ１１１は、使用者によって操作部材１１２が操作されることにより、再生画像の変更が指示されたか否かを判断する。例えば、使用者は、操作部材１１２に含まれる十字ボタンの右ボタンを押下することにより次の画像への切り替えを指示することができ、十字ボタンの左ボタンを押下することにより前の画像への切り替えを指示することができる。ステップＳ２４０で否定判断した場合には、後述するステップＳ２６０へ進む。これに対して、ステップＳ２４０で肯定判断した場合には、ステップＳ２５０へ進む。
【００６０】
ステップＳ２５０では、ＣＰＵ１１１は、使用者による十字ボタンの操作に基づいて変更後の画像の画像ファイルを特定する。そして、ＣＰＵ１１１は、特定した画像ファイルをメモリカード１１３ａからＳＤＲＡＭ１０９へ読み出し、当該画像ファイル内から表示用画像データを読み出してモニタ１０６に出力する。その後、ステップＳ２６０へ進む。
【００６１】
ステップＳ２６０では、ＣＰＵ１１１は、使用者によって操作部材１１２が操作されることにより、現在再生中の表示用画像データに対応する確認用画像データの表示が指示されたか否かを判断する。例えば、使用者は、表示用画像データがモニタ１０６に表示されている状態で、操作部材１１２に含まれる決定ボタンを押下することによって、再生中の表示用画像データに対応する確認用画像データの表示を指示することができる。
【００６２】
ステップＳ２６０で否定判断した場合には、ステップＳ２３０へ戻って処理を繰り返す。これに対して、ステップＳ２６０で肯定判断した場合には、ステップＳ２７０へ進む。ステップＳ２７０では、ＣＰＵ１１１は、ＳＤＲＡＭ１０９に読み出し済みの現在再生中の表示用画像データに対応する画像ファイル内から確認用画像データを読み出してモニタ１０６に出力することによって、確認用画像を表示する。使用者は、モニタ１０６に表示された確認画像を閲覧することによって、本画像データのＡＦエリア内にピントが合っているか否かを確認することができる。
【００６３】
その後、ステップＳ２８０へ進み、ＣＰＵ１１１は、使用者によって操作部材１１２が操作されることにより、再生モードの終了が指示されたか否かを判断する。ステップＳ２８０で肯定判断した場合には、処理を終了する。これに対して、ステップＳ２８０で否定判断した場合には、ステップＳ２９０へ進む。
【００６４】
ステップＳ２９０では、使用者によって操作部材１１２が操作されることにより、モニタ１０６に表示中の確認用画像の変更が指示されたか否かを判断する。例えば、使用者は、操作部材１１２に含まれる十字ボタンの右ボタンを押下することにより次の画像の確認用画像への切り替えを指示することができ、十字ボタンの左ボタンを押下することにより前の画像の確認用画像への切り替えを指示することができる。ステップＳ２９０で否定判断した場合には、後述するステップＳ３１０へ進む。これに対して、ステップＳ２９０で肯定判断した場合には、ステップＳ３００へ進む。
【００６５】
ステップＳ３００では、ＣＰＵ１１１は、使用者による十字ボタンの操作に基づいて変更後の確認用画像の画像ファイルを特定する。そして、ＣＰＵ１１１は、メモリカード１１３ａからＳＤＲＡＭ１０９へ読み出し、当該画像ファイル内から確認用画像データを読み出してモニタ１０６に出力する。その後、ステップＳ３１０へ進む。
【００６６】
ステップＳ３１０では、ＣＰＵ１１１は、使用者によって操作部材１１２が操作されることにより、確認用画像の表示の終了が指示されたか否かを判断する。ステップＳ３１０で肯定判断した場合には、ステップＳ２１０へ戻って処理を繰り返す。これに対して、ステップＳ３１０で否定判断した場合には、ステップＳ２８０へ戻って処理を繰り返す。
【００６７】
以上説明した本実施の形態によれば、以下のような作用効果を得ることができる。
（１）画像処理回路１０４は、デジタル画像データに基づいて本画像データを生成し、デジタル画像データに対して本画像データに施されている処理よりも強い輪郭強調処理、および本画像データに施されている処理よりも強いコントラスト強調処理の少なくともいずれか一方を施して、本画像データよりも画像サイズを小さくした処理後画像データを、本画像データの焦点調節状態を確認するための確認用画像データとして生成する。ＣＰＵ１１１は、本画像データと確認用画像データとを含んだ画像ファイルを生成し、生成した画像ファイルをメモリカード１１３ａに記録するようにした。これによって、使用者が本画像データの合焦状態を確認しやすいような画像を確認用画像データとして生成し、確認用画像データと本画像データとを関連付けてメモリカード１１３ａに記録することができる。
【００６８】
（２）画像処理回路１０４は、デジタル画像データ内からＡＦエリアを含む所定範囲の領域を抽出画像データとして抽出し、抽出画像データに基づいて確認画像データを生成するようにした。これによって、使用者は、ＡＦエリアを含む範囲内の画像に基づいて生成された確認画像データを閲覧することによって、ＡＦエリア内にピントが合っているか否かを判定することができる。
【００６９】
（３）画像処理回路１０４は、図３に示した設定画面上での使用者による指示に基づいて、抽出画像データに対する拡大率を設定し、デジタル画像データから抽出したＡＦ領域を含む範囲の画像を、設定した拡大率で拡大して確認用画像データを生成するようにした。これによって、使用者は、好みの拡大率で確認用画像データを生成するように指示することができる。
【００７０】
―変形例―
なお、上述した実施の形態のカメラは、以下のように変形することもできる。
（１）上述した実施の形態では、画像ファイルの構造を図２に示す構造とすることにより、１つの画像ファイル内に本画像データ２ｄと確認用画像データ２ｇの２つの画像データを格納するようにした。しかしながら、本画像データと確認用画像データとを別ファイルとしてメモリカード１１３ａに記録するようにしてもよい。この場合、同じデジタル画像データから作成された本画像データの画像ファイル（本画像ファイル）と確認用画像データの画像ファイル（確認用画像ファイル）、すなわち１回の撮影で生成された本画像ファイルと確認用画像ファイルとを、データベース等を用いて関連付けるようにしてもよい。
【００７１】
（２）上述した実施の形態では、カメラ１００はＡＦセンサ１０７を備え、ＡＦ制御用ＣＰＵ１０８は、ＡＦセンサ１０７からの出力に基づいてＡＦ処理を実行する例について説明した。しかしながら、カメラ１００には必ずしもＡＦセンサ１０７を搭載する必要はなく、ＡＦ制御用ＣＰＵ１０８は、撮像素子１０２から入力される画像信号に基づいて、公知のコントラスト方式等によりＡＦ制御を行ってもよい。
【００７２】
（３）上述した実施の形態では、画像処理回路１０４は、デジタル画像データから、ＡＦエリアを含み、図３に示した設定画面上での設定内容に応じた大きさの画像データを抽出画像データとして抽出する例について説明した。しかしながら、画像処理回路１０４は、図３に示した設定画面上での設定内容に応じた大きさの画像データを、デジタル画像データの中心から抽出して、これを抽出画像データとするようにしてもよい。
【００７３】
（４）上述した実施の形態における図６に示した画像取得処理、および図７に示した画像再生処理は、それぞれパソコン等の情報処理装置においても実行可能である。なお、一般的に、パソコンは撮影機能を備えておらず、デジタルカメラで撮影された画像ファイルを取り込んで処理を行うため、図６に示す画像取得処理は、以下のように変更される。例えば、デジタルカメラから取り込まれた画像ファイルが、画像データを生成するために必要な画像処理を適用する前の画像ソースデータであるＲＡＷデータを含んだＲＡＷ画像ファイルである場合には、図６におけるステップＳ６０から処理を開始すればよい。すなわち、ステップＳ６０において、画像処理回路１０４は、ＲＡＷ画像データに基づいて本画像データを生成した後、ステップＳ７０以降の処理を実行すればよい。これに対して、デジタルカメラから取り込まれた画像ファイルが、画像データを生成するために必要な画像処理が適用された後の画像データを含んだ画像ファイル、例えばＪＰＥＧデータを含んだＪＰＥＧファイルである場合には、本画像データとしてのＪＰＥＧデータが既に作成されているため、画像処理回路１０４は、図６におけるステップＳ７０から処理を開始すればよい。
【００７４】
（５）上述した実施の形態では、画像処理回路１０４は、デジタル画像データに対して、本画像データを生成するために施したよりも強いコントラスト強調処理（Ａ）と輪郭強調処理（Ｂ）の少なくとも一方を実行して確認用画像データを生成する例について説明した。しかしながら、画像処理回路１０４は、上記（Ａ）と（Ｂ）の少なくともいずれか一方に代えて、または（Ａ）と（Ｂ）の少なくともいずれか一方に加えて、次の（Ｃ）または（Ｄ）のいずれか一方、あるいは両方の処理を実行することにより確認用画像データを生成するようにしてもよい。
【００７５】
（Ｃ）明るさ処理
画像処理回路１０４は、確認用画像データが本画像データよりも明るい画像になるようにデジタル画像データに対して明るさ処理を実行してもよい。これによって、確認用画像を明るい画像とすることができ、使用者はＡＦエリア内にピントが合っているか否かを確認しやすくなる。
【００７６】
（Ｄ）輝度成分抽出処理
画像処理回路１０４は、デジタル画像データまたは本画像データから輝度成分のみを抽出して画像データを生成し、この輝度成分のみの画像データを確認画像データとするようにしてもよい。このように、画像データから色差成分を排除して輝度成分のみとすることで、使用者はＡＦエリア内にピントが合っているか否かを確認しやすくなる。
【００７７】
なお、本発明の特徴的な機能を損なわない限り、本発明は、上述した実施の形態における構成に何ら限定されない。また、上述の実施の形態と複数の変形例を組み合わせた構成としてもよい。
【図面の簡単な説明】
【００７８】
【図１】カメラ１００の一実施の形態の構成を示すブロック図である。
【図２】画像ファイルのデータ構造を模式的に示した図である。
【図３】「抽出画像の倍率と出力サイズ」の設定画面の一例を示す図である。
【図４】コントラスト強調処理により合焦状態の判定が容易になることを説明するための図である。
【図５】確認用画像データを生成するために施すコントラスト強調処理の強さを決定するための方法を模式的に示した図である。
【図６】カメラ１００の画像取得処理を示すフローチャートである。
【図７】カメラ１００の画像再生処理を示すフローチャートである。
【符号の説明】
【００７９】
１００  カメラ、１０１  レンズ、１０２  撮像素子、１０３  ＡＦＥ回路、１０４  画像処理回路、１０５  ファインダ用表示装置、１０６  モニタ、１０７  ＡＦセンサ、１０８  ＡＦ制御用ＣＰＵ、１０９  ＳＤＲＡＭ、１１０  フラッシュメモリ、１１１  ＣＰＵ、１１２  操作部材、１１３  メモリカードＩ／Ｆ、１１３ａ  メモリカード
【図１】
2010016671.tif 000003
【図２】
2010016671.tif 000004
【図３】
2010016671.tif 000005
【図４】
2010016671.tif 000006
【図５】
2010016671.tif 000007
【図６】
2010016671.tif 000008
【図７】
2010016671.tif 000009